(57)【要約】【課題】記録ディスクの損傷を回避しつつできる限り広いデータゾーンを確保することができる記録ディスク駆動装置を提供する。【解決手段】ランプ部材２９には、基準平面３９に第１傾斜角αで交差する第１傾斜面４１に沿って第１誘導路３５が形成される。第１誘導路３５の外側には第２誘導路３６が配置される。第２誘導路３６は、基準平面３９に第１傾斜角αよりも大きい第２傾斜角βで交差する第２傾斜面４２に沿って形成される。こうした記録ディスク駆動装置１１では、第１誘導路３５の働きで記録ディスク１３およびヘッドスライダ２６の衝突は回避される。記録ディスク１３の損傷は回避されることができる。しかも、第１および第２誘導路３５、３６が第１傾斜角の単一傾斜面で形成される場合に比べて、記録ディスク１３の表面ではできる限りデータゾーン１７は外側まで広がることができる。【選択図】図３
2005353109.tif 000002
【特許請求の範囲】
【請求項１】
記録ディスクと、記録ディスクの外側に固定されるランプ部材とを備え、ランプ部材には、記録ディスクの表面を含む基準平面に第１傾斜角で交差する第１傾斜面に沿って、記録ディスクの半径方向外側に向かうにつれて基準平面から遠ざかる第１誘導路と、第１誘導路の外側に配置されて、前記基準平面に第１傾斜角よりも大きい第２傾斜角で交差する第２傾斜面に沿って、記録ディスクの半径方向外側に向かうにつれて基準平面から遠ざかる第２誘導路とが形成されることを特徴とする記録ディスク駆動装置。
【請求項２】
請求項１に記載の記録ディスク駆動装置において、前記第２誘導路は前記第１誘導路の外端に接続されることを特徴とする記録ディスク駆動装置。
【請求項３】
請求項１に記載の記録ディスク駆動装置において、前記第１誘導路は、記録ディスクに向き合わせられるヘッドスライダの浮上中に基準平面に平行に設定されるロードタブの移動経路を横切って延びることを特徴とする記録ディスク駆動装置。
【請求項４】
記録ディスクと、記録ディスクの外側に固定されるランプ部材とを備え、ランプ部材には、記録ディスクの半径方向外側に向かうにつれて記録ディスクの表面から遠ざかる方向に反り返る湾曲面が形成されることを特徴とする記録ディスク駆動装置。
【請求項５】
基準平面に第１傾斜角で交差する第１傾斜面に沿って所定の位置から後方に延び、ヘッドアクチュエータ先端のロードタブを受け止める第１誘導路と、第１誘導路の後方に配置されて、前記基準平面に第１傾斜角よりも大きい第２傾斜角で交差する第２傾斜面に沿って延びる第２誘導路と、第２誘導路の後方に配置されて、所定の窪みに向かって延びる第３誘導路とが形成されることを特徴とする記録ディスク駆動装置向けランプ部材。
【請求項６】
請求項５に記載の記録ディスク駆動装置向けランプ部材において、前記第２誘導路は前記第１誘導路の後端に接続されることを特徴とする記録ディスク駆動装置向けランプ部材。
【請求項７】
所定の位置から後方に延びつつ凹んだ湾曲面でヘッドアクチュエータ先端のロードタブを受け止める第１誘導路と、第１誘導路の後方に配置されて、所定の窪みに向かって延びる第２誘導路とが形成されることを特徴とする記録ディスク駆動装置向けランプ部材。
【発明の詳細な説明】
【技術分野】
【０００１】
本発明は、例えばハードディスク駆動装置（ＨＤＤ）といった記録ディスク駆動装置に関し、特に、記録ディスクと、記録ディスクの外側に固定されるランプ部材とを備える記録ディスク駆動装置に関する。
【背景技術】
【０００２】
いわゆるロードアンロード機構では、ヘッドスライダを支持するヘッドアクチュエータの先端にロードタブが固定される。ロードタブの移動経路上には磁気ディスクの外側でランプ部材が固定される。磁気ディスクの静止時、ロードタブはランプ部材に受け止められる。こうしてヘッドスライダは磁気ディスクの半径方向外側に待避する。
【０００３】
ランプ部材には磁気ディスクの半径方向外側に向かって延びる誘導路が規定される。誘導路には、半径方向外側に向かうにつれて磁気ディスクから遠ざかる傾斜面が規定される。ヘッドスライダの待避にあたってロードタブは最初に傾斜面に接触する。ヘッドアクチュエータの揺動に基づきロードタブが傾斜面を登っていくと、ヘッドアクチュエータの先端は徐々に磁気ディスクから遠ざけられる。反対に、ヘッドスライダが浮上状態に復帰する際にはロードタブは傾斜面を下っていく。
【特許文献１】登録実用新案第２５５５８１７号公報
【特許文献２】特開平０４−２５８８５７号公報
【特許文献３】特開平１１−１１０９３３号公報
【特許文献４】特開２０００−３０３８７号公報
【発明の開示】
【発明が解決しようとする課題】
【０００４】
傾斜面の傾斜がきついと、ロードタブがランプ部材から離脱する際にヘッドスライダは勢いよく磁気ディスクに向かって落下する。ヘッドスライダは磁気ディスクの表面に衝突してしまう。磁気ディスクは損傷してしまう。その一方で、傾斜面の傾斜が緩いと、待避にあたってヘッドスライダが磁気ディスクから引き剥がされるまでに長い距離が必要とされる。その結果、傾斜面の先端は大きく磁気ディスクの中心に向かって入り込んでしまう。磁気ディスクの表面ではデータゾーンは狭められてしまう。
【０００５】
本発明は、上記実状に鑑みてなされたもので、記録ディスクの損傷を回避しつつできる限り広いデータゾーンを確保することができる記録ディスク駆動装置を提供することを目的とする。さらに、本発明は、そういった記録ディスク駆動装置の実現に大いに役立つ記録ディスク駆動装置向けランプ部材を提供することを目的とする。
【課題を解決するための手段】
【０００６】
上記目的を達成するために、第１発明によれば、記録ディスクと、記録ディスクの外側に固定されるランプ部材とを備え、ランプ部材には、記録ディスクの表面を含む基準平面に第１傾斜角で交差する第１傾斜面に沿って、記録ディスクの半径方向外側に向かうにつれて基準平面から遠ざかる第１誘導路と、第１誘導路の外側に配置されて、前記基準平面に第１傾斜角よりも大きい第２傾斜角で交差する第２傾斜面に沿って、記録ディスクの半径方向外側に向かうにつれて基準平面から遠ざかる第２誘導路とが形成されることを特徴とする記録ディスク駆動装置が提供される。
【０００７】
こうした記録ディスク駆動装置では、記録ディスクの静止時、ヘッドスライダを支持するヘッドアクチュエータの先端は待避位置でランプ部材に受け止められる。記録ディスクの回転が始まると、ヘッドアクチュエータの揺動に基づき、ヘッドアクチュエータの先端は第２誘導路から第１誘導路を下っていく。第１誘導路では第２傾斜角よりも小さい第１傾斜角が設定されることから、ヘッドアクチュエータの先端は緩やかな速度で記録ディスクに近づいていく。ヘッドアクチュエータがさらに揺動すると、その先端は第１誘導路すなわちランプ部材から離脱する。第１誘導路の働きでヘッドアクチュエータ先端の落下の勢いは緩和される。記録ディスクおよびヘッドスライダの衝突は回避される。記録ディスクの損傷は回避されることができる。
【０００８】
記録ディスクの回転中、ヘッドスライダは記録ディスクの表面から浮上する。情報の書き込みや読み出しが完了すると、ヘッドアクチュエータは記録ディスクの外側に向かって揺動する。こうしてヘッドアクチュエータの先端は第１誘導路に接触する。第１誘導路では第２傾斜角よりも小さい第１傾斜角が設定されることから、第１誘導路にはヘッドアクチュエータの先端の衝突に基づき第１誘導路の垂直方向から比較的に小さな力しか作用しない。ヘッドアクチュエータの先端と第１誘導路との摩擦は極力回避される。ランプ部材では摩耗塵の発生は阻止されることができる。
【０００９】
さらにヘッドアクチュエータが揺動すると、ヘッドアクチュエータの先端は第１誘導路から第２誘導路を登っていく。第２誘導路では第１誘導路の第１傾斜角よりも大きな第２傾斜角が設定されることから、ヘッドアクチュエータの先端は急速に記録ディスクの表面から引き離される。したがって、ヘッドスライダは早期に記録ディスクの表面から引き上げられる。
【００１０】
以上のような記録ディスク駆動装置では、第１および第２誘導路が第１傾斜角の単一傾斜面で形成される場合に比べて、ヘッドスライダが記録ディスクの表面から引き離されるまでにヘッドアクチュエータの移動距離は短縮されることができる。したがって、第１誘導路の先端はできる限り記録ディスクの外側に配置されることができる。記録ディスクの表面ではできる限りデータゾーンは外側まで広がることができる。
【００１１】
こうした記録ディスク駆動装置では、第２誘導路は第１誘導路の外端に接続されればよい。第１誘導路は、記録ディスクに向き合わせられるヘッドスライダの浮上中に基準平面に平行に設定されるロードタブの移動経路を横切って延びればよい。
【００１２】
以上のような記録ディスク駆動装置の実現にあたって、基準平面に第１傾斜角で交差する第１傾斜面に沿って所定の位置から後方に延び、ヘッドアクチュエータ先端のロードタブを受け止める第１誘導路と、第１誘導路の後方に配置されて、前記基準平面に第１傾斜角よりも大きい第２傾斜角で交差する第２傾斜面に沿って延びる第２誘導路と、第２誘導路の後方に配置されて、所定の窪みに向かって延びる第３誘導路とが形成されることを特徴とする記録ディスク駆動装置向けランプ部材が提供されればよい。このとき、第２誘導路は第１誘導路の後端に接続されればよい。
【００１３】
第２発明によれば、記録ディスクと、記録ディスクの外側に固定されるランプ部材とを備え、ランプ部材には、記録ディスクの半径方向外側に向かうにつれて記録ディスクの表面から遠ざかる方向に反り返る湾曲面が形成されることを特徴とする記録ディスク駆動装置が提供される。
【００１４】
こういった記録ディスク駆動装置では、ヘッドスライダが記録ディスクの外側に待避する際に、湾曲面は比較的に小さな交差角からヘッドアクチュエータ先端の進入を受け止めることから、湾曲面には、ヘッドアクチュエータ先端の衝突に基づき湾曲面の接線に直交する方向から比較的に小さな力しか作用しない。ヘッドアクチュエータ先端と湾曲面との摩擦は極力回避される。ランプ部材では摩耗塵の発生は阻止されることができる。
【００１５】
しかも、湾曲面は記録ディスクの半径方向外側に向かうにつれて反り返ることから、ヘッドアクチュエータの先端は急速に記録ディスクの表面から引き離される。しかも、湾曲面の後端付近では比較的に大きな傾斜角が設定されることから、ヘッドアクチュエータの先端は急速に記録ディスクの表面から引き離される。したがって、ヘッドスライダは早期に記録ディスクの表面から引き上げられる。その一方で、ヘッドアクチュエータの先端が湾曲面を下っていく際には、湾曲面の働きでヘッドアクチュエータの先端は緩やかな速度で記録ディスクに近づいていく。ヘッドアクチュエータの先端がランプ部材から離脱する際に、ヘッドアクチュエータ先端の落下の勢いは緩和される。記録ディスクおよびヘッドスライダの衝突は回避される。記録ディスクの損傷は回避されることができる。
【００１６】
以上のような記録ディスク駆動装置では、湾曲面が所定の傾斜角の単一傾斜面で形成される場合に比べて、ヘッドスライダが記録ディスクの表面から引き離されるまでにヘッドアクチュエータの先端の移動距離は短縮されることができる。したがって、湾曲面の先端はできる限り記録ディスクの外側に配置されることができる。記録ディスクの表面ではできる限りデータゾーンは外側まで広がることができる。
【００１７】
こうした記録ディスク駆動装置の実現にあたって、所定の位置から後方に延びつつ凹んだ湾曲面でヘッドアクチュエータ先端のロードタブを受け止める第１誘導路と、第１誘導路の後方に配置されて、所定の窪みに向かって延びる第２誘導路とが形成されることを特徴とする記録ディスク駆動装置向けランプ部材が提供されればよい。
【発明の効果】
【００１８】
以上のように本発明によれば、記録ディスクの損傷を回避しつつできる限り広いデータゾーンを確保することができる記録ディスク駆動装置を提供することができる。さらに、本発明は、そういった記録ディスク駆動装置の実現に大いに役立つ記録ディスク駆動装置向けランプ部材を提供することができる。
【発明を実施するための最良の形態】
【００１９】
以下、添付図面を参照しつつ本発明の一実施形態を説明する。
【００２０】
図１は、本発明に係る記録ディスク駆動装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録媒体としての１枚以上の磁気ディスク１３が収容される。磁気ディスク１３はスピンドルモータ１４の回転軸に装着される。スピンドルモータ１４は例えば５４００ｒｐｍや７２００ｒｐｍ、１００００ｒｐｍといった高速度で磁気ディスク１３を回転させることができる。筐体本体１２には、筐体本体１２との間で収容空間を密閉する蓋体すなわちカバー（図示されず）が結合される。
【００２１】
磁気ディスク１３の表面には、最内周記録トラック１５と最外周記録トラック１６との間にデータゾーン１７が区画される。データゾーン１７には同心円状に記録トラックが描かれる。記録トラックには情報すなわちデータが保持される。最内周記録トラック１５の内側には非データゾーン１８が区画される。最外周記録トラック１６の外側には非データゾーン１９が区画される。非データゾーン１８、１９にはデータは記録されない。
【００２２】
収容空間にはヘッドアクチュエータ２１がさらに収容される。このヘッドアクチュエータ２１はアクチュエータブロック２２を備える。アクチュエータブロック２２は、垂直方向に延びる支軸２３に回転自在に連結される。アクチュエータブロック２２には、支軸２３から水平方向に延びる複数のアクチュエータアーム２４が区画される。こういったアクチュエータブロック２２は例えば鋳造に基づきアルミニウムから成型されればよい。
【００２３】
個々のアクチュエータアーム２４の先端には、アクチュエータアーム２４から前方に延びるヘッドサスペンション２５が取り付けられる。ヘッドサスペンション２５の先端にはいわゆるジンバルばね（図示されず）が接続される。ジンバルばねの表面に浮上ヘッドスライダ２６は固定される。こうしたジンバルばねの働きで浮上ヘッドスライダ２６はヘッドサスペンション２５に対してその姿勢を変化させることができる。
【００２４】
浮上ヘッドスライダ２６にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子と、スピンバルブ膜やトンネル接合膜の抵抗変化を利用して磁気ディスク１３から情報を読み出す巨大磁気抵抗効果（ＧＭＲ）素子やトンネル接合磁気抵抗効果（ＴＭＲ）素子といった読み出し素子とで構成されればよい。
【００２５】
磁気ディスク１３の回転に基づき磁気ディスク１３の表面で気流が生成されると、気流の働きで浮上ヘッドスライダ２６には正圧すなわち浮力および負圧が作用する。浮力および負圧とヘッドサスペンション２５の押し付け力とが釣り合うことで磁気ディスク１３の回転中に比較的に高い剛性で浮上ヘッドスライダ２６は浮上し続けることができる。
【００２６】
こういった浮上ヘッドスライダ２６の浮上中にヘッドアクチュエータ２１が支軸２３回りで回転すると、浮上ヘッドスライダ２６は磁気ディスク１３の半径線に沿って移動することができる。その結果、浮上ヘッドスライダ２６上の電磁変換素子は最内周記録トラック１５と最外周記録トラック１６との間でデータゾーン１７を横切ることができる。こうして浮上ヘッドスライダ２６上の電磁変換素子は目標の記録トラック上に位置決めされる。ヘッドアクチュエータ２１の回転は例えばボイスコイルモータ（ＶＣＭ）２７といった動力源の働きを通じて実現されればよい。
【００２７】
ヘッドサスペンション２５の先端には、ヘッドサスペンション２５の先端から前方に延びるロードタブ２８が固定される。ロードタブ２８はヘッドアクチュエータ２１の揺動に基づき磁気ディスク１３の半径方向に移動することができる。ロードタブ２８の移動経路上には磁気ディスク１３の外側でランプ部材２９が配置される。ランプ部材２９の先端は最外周記録トラック１６の外側で非データゾーン１９に向き合わせられる。ランプ部材２９およびロードタブ２８は協働でいわゆるロードアンロード機構を構成する。ランプ部材２９は例えば硬質プラスチック材料から成型されればよい。
【００２８】
図２は、本発明の第１実施形態に係るランプ部材２９の構造を概略的に示す。ランプ部材２９は、磁気ディスク１３の外側でベース１２の底板に例えばねじ留めされる取り付け台３１を備える。取り付け台３１には、ヘッドアクチュエータ２１の支軸２３に向かって水平面に沿って突き出る突片３２が形成される。突片３２は例えば一体成型に基づき取り付け台３１に一体化される。取り付け台３１および突片３２には受け入れ溝３３が形成される。受け入れ溝３３には磁気ディスク１３が受け入れられる。
【００２９】
突片３２の表面には、ロードタブ２８の移動経路上で磁気ディスク１３の半径方向に沿って内端から外端に向かって延びる誘導路３４が形成される。誘導路３４は、誘導路３４の内端から磁気ディスク１３の半径方向外側に向かって延びる第１誘導路３５を備える。第１誘導路３５は磁気ディスク１３の半径方向外側に向かうにつれて磁気ディスク１３の表面から遠ざかる。第１誘導路３５の外側には第２誘導路３６が配置される。第２誘導路３６は第１誘導路３５の最上端すなわち外端に接続される。第２誘導路３６は、第１誘導路３５と同様に、磁気ディスク１３の半径方向外側に向かうにつれて磁気ディスク１３の表面から遠ざかる。第２誘導路３６の外側には、窪み３７に向かって延びる第３誘導路３８が形成される。第３誘導路３８は第２誘導路３６の最上端すなわち外端に接続される。
【００３０】
図３に示されるように、第１誘導路３５は、磁気ディスク１３の表面を含む基準平面３９に第１傾斜角αで交差する第１傾斜面４１に沿って形成される。同様に、第２誘導路３６は、基準平面３９に第２傾斜角βで交差する第２傾斜面４２に沿って形成される。第２傾斜角βは第１傾斜角αよりも大きく設定される。第１傾斜角αは例えば１５度程度に設定されればよい。第２傾斜角βは例えば２２度程度に設定されればよい。第１誘導路３５は、浮上ヘッドスライダ２６の浮上中に基準平面３９に平行に設定されるロードタブ２８の移動経路４３を横切って延びる。
【００３１】
誘導路３４には潤滑剤が塗布されてもよい。潤滑剤には例えばパーフルオロポリエーテルが用いられればよい。塗布にあたって例えばランプ部材２９はパーフルオロポリエーテルを含む溶液に浸されればよい。その他、ランプ部材２９の成型にあたって、例えば硬質プラスチック材料に予め潤滑剤を含浸させてもよい。こういった潤滑剤によれば、ロードタブ２８および誘導路３４の間で摩擦の発生は極力回避されることができる。ランプ部材２９では摩耗塵の発生は阻止されることができる。
【００３２】
いま、磁気ディスク１３の回転が停止する場面を想定する。情報の書き込みや読み出しが完了すると、ＶＣＭ２７は支軸２３回りで順方向にヘッドアクチュエータ２１を回転させる。アクチュエータアーム２４およびヘッドサスペンション２５は磁気ディスク１３の外側に向かって駆動される。図４に示されるように、浮上ヘッドスライダ２６が最外周記録トラック１６を越えてランディングゾーンすなわち非データゾーン１９に向き合うと、ロードタブ２８は第１誘導路３５に接触する。第１誘導路３５では比較的に小さい第１傾斜角αが設定されることから、第１誘導路３５にはロードタブ２８の衝突に基づき第１誘導路３５の垂直方向から比較的に小さな力しか作用しない。ロードタブ２８と第１誘導路３５との摩擦は極力回避される。ランプ部材２９では摩耗塵の発生は阻止されることができる。
【００３３】
さらにアクチュエータアーム２４が揺動すると、ロードタブ２８は第１誘導路３５から第２誘導路３６を登っていく。第２誘導路３６では第１誘導路３５の第１傾斜角αよりも大きな第２傾斜角βが設定されることから、ロードタブ２８は急速に磁気ディスク１３の表面から引き離される。したがって、浮上ヘッドスライダ２６は早期に磁気ディスク１３の表面から引き上げられる。その後、アクチュエータアーム２４がさらに揺動すると、ロードタブ２８は第３誘導路３８から窪み３７まで摺動する。ロードタブ２８が最大限に磁気ディスク１３から遠ざかると、浮上ヘッドスライダ２４は待避位置に位置決めされる。磁気ディスク１３の回転は停止する。ロードタブ２８はランプ部材２９上に保持されることから、無風状態にも拘わらず磁気ディスク１３に対する浮上ヘッドスライダ２６の衝突や接触は回避されることができる。磁気ディスク１３の表面に広がる潤滑剤と浮上ヘッドスライダ２６との吸着は効果的に阻止されることができる。
【００３４】
ＨＤＤ１１が情報の書き込みや読み出しといった指令を受け取ると、まず、磁気ディスク１３の回転が始まる。磁気ディスク１３の回転が定常状態に達すると、ＶＣＭ２７は前述の順方向とは反対の逆方向に支軸２３回りにヘッドアクチュエータ２１を回転させる。アクチュエータアーム２４およびヘッドサスペンション２５は磁気ディスク１３の回転軸に向かって駆動される。ロードタブ２８は窪み３７および第３誘導路３８を順番に摺動していく。アクチュエータアーム２４の揺動に基づきロードタブ２８は第２誘導路３６から第１誘導路３５を下っていく。第１誘導路３５では比較的に小さい第１傾斜角αが設定されることから、ロードタブ２８は緩やかな速度で磁気ディスク１３に近づいていく。こうしてロードタブ２８が第１誘導路３５を下っていく間に浮上ヘッドスライダ２６は磁気ディスク１３の表面に向き合う。浮上ヘッドスライダ２６には、磁気ディスク１３の表面に沿って生成される気流に基づき浮力が付与される。
【００３５】
その後、アクチュエータアーム２４がさらに揺動すると、ロードタブ２８は第１誘導路３５すなわちランプ部材２９から離脱する。第１誘導路３５の働きでロードタブ２８の落下の勢いは緩和される。磁気ディスク１３および浮上ヘッドスライダ２６の衝突は回避される。磁気ディスク１３や浮上ヘッドスライダ２６の損傷は回避されることができる。磁気ディスク１３が定常状態で回転する結果、ランプ部材２９に支えられなくても浮上ヘッドスライダ２６は磁気ディスク１３の表面から浮上し続けることができる。
【００３６】
以上のようなＨＤＤ１１では、第１および第２誘導路３５、３６が第１傾斜角αの単一傾斜面で形成される場合に比べて、浮上ヘッドスライダ２６が磁気ディスク１３の表面から引き離されるまでにロードタブ２８の移動距離は短縮されることができる。したがって、誘導路３４の内端はできる限り磁気ディスク１３の外側に配置されることができる。磁気ディスク１３の表面ではできる限りデータゾーン１７は外側まで広がることができる。
【００３７】
本発明者は、以上のようなランプ部材２９の効果を検証した。検証にあたって３０万回にわたってロードアンロードは繰り返された。１回のロードアンロードで浮上ヘッドスライダ２６は所定の浮上位置と待避位置とを１往復した。ランプ部材２９では第１傾斜角αは１５度に設定された。第２傾斜角βは２２度に設定された。磁気ディスク１３の回転速度は１００００ｒｐｍに設定された。磁気ディスク１３の表面には潤滑剤が塗布された。浮上位置から待避位置に向かってロードタブ２８の移動速度は０．１３１ｍ／ｓに設定された。待避位置から浮上位置に向かってロードタブ２８の移動速度は０．２６０ｍ／ｓに設定された。特に、待避位置では浮上ヘッドスライダ２６のピッチ角は−１度に設定された。
【００３８】
その後、浮上ヘッドスライダ２６の汚れは観察された。浮上ヘッドスライダ２６では潤滑剤の付着の有無が観察された。同時に、磁気ディスク１３の傷が観察された。観察にあたって電子顕微鏡は用いられた。こういった検証は１０サンプルのランプ部材２９に対して実施された。個々のサンプルごとに、磁気ディスク１３および浮上ヘッドスライダ２６は交換された。
【００３９】
本発明者は第１および第２比較例を用意した。第１比較例に係るランプ部材では、第１および第２誘導路３５、３６に代えて所定の傾斜角の単一傾斜面が形成された。傾斜角は１５度に設定された。第２比較例に係るランプ部材では、第１および第２誘導路３５、３６に代えて所定の傾斜角の単一傾斜面が形成された。傾斜角は２２度に設定された。その他の条件は具体例と同一に設定された。
【００４０】
その結果、具体例並びに第１および第２比較例ではいずれのサンプルでも潤滑剤の付着は観察されなかった。その一方で、具体例では１サンプルで磁気ディスク１３の傷が観察された。第１比較例では１サンプルで磁気ディスクの傷が観察された。第２比較例では３サンプルで磁気ディスクの傷が観察された。具体例では、第１比較例すなわち傾斜角が小さく設定された場合と同様に、磁気ディスク１３表面の損傷は回避されることが確認された。浮上ヘッドスライダ２６と磁気ディスク１３の衝突は回避されることが確認された。
【００４１】
図５は、本発明の第２実施形態に係るランプ部材２９ａの構造を概略的に示す。このランプ部材２９ａには、前述の第１および第２誘導路３５、３６に代えて、誘導路３４の内端から後方に延びつつ凹んだ湾曲面でロードタブ２８を受け止める第１誘導路４４が形成される。湾曲面は、磁気ディスク１３の半径方向外側に向かうにつれて磁気ディスク１３の表面から遠ざかる方向に反り返る。第１誘導路４４は、第１誘導路３５と同様に、ロードタブ２８の移動経路４３を横切って延びる。このとき、第１誘導路４４と移動経路４３との交差角は１５度程度に設定される。第１誘導路４４の後方には第２誘導路４５が配置される。第２誘導路４５は第１誘導路４４の最上端すなわち外端に接続される。第２誘導路４５は前述の第３誘導路３８と同様に構成される。その他、前述の実施形態と均等な構成や構造には同一の参照符号が付される。
【００４２】
こういったＨＤＤ１１では、浮上ヘッドスライダ２６が磁気ディスク１３の外側に待避する際に、第１誘導路４４は比較的に小さな交差角からロードタブ２８の進入を受け止めることから、第１誘導路４４には、ロードタブ２８の衝突に基づき湾曲面の接線に直交する方向から比較的に小さな力しか作用しない。ロードタブ２８と第１誘導路４４との摩擦は極力回避される。ランプ部材２９ａでは摩耗塵の発生は阻止されることができる。
【００４３】
しかも、第１誘導路４４の湾曲面は磁気ディスク１３の半径方向外側に向かうにつれて反り返ることから、ロードタブ２８は急速に磁気ディスク１３の表面から引き離される。しかも、第１誘導路４４の後端付近では湾曲面に基づき比較的に大きな傾斜角が設定されることから、ロードタブ２８は急速に磁気ディスク１３の表面から引き離される。したがって、浮上ヘッドスライダ２６は早期に磁気ディスク１３の表面から引き上げられる。その一方で、ロードタブ２８が第１誘導路４４を下っていく際には、湾曲面の働きでロードタブ２８は緩やかな速度で磁気ディスク１３に近づいていく。ロードタブ２８がランプ部材２９ａから離脱する際に、ロードタブ２８の落下の勢いは緩和される。磁気ディスク１３および浮上ヘッドスライダ２６の衝突は回避される。磁気ディスク１３や浮上ヘッドスライダ２６の損傷は回避されることができる。
【００４４】
以上のようなＨＤＤ１１では、第１誘導路４４が第１傾斜角αの単一傾斜面で形成される場合に比べて、浮上ヘッドスライダ２６が磁気ディスク１３の表面から引き離されるまでにロードタブ２８の移動距離は短縮されることができる。したがって、誘導路３４の内端はできる限り磁気ディスク１３の外側に配置されることができる。磁気ディスク１３の表面ではできる限りデータゾーン１７は外側まで広がることができる。
【図面の簡単な説明】
【００４５】
【図１】図１は、本発明に係る記録ディスク駆動装置の一具体例すなわちハードディスク駆動装置（ＨＤＤ）の平面図である。
【図２】図２は、本発明の第１実施形態に係るランプ部材の拡大斜視図である。
【図３】図３は、誘導路の構造を詳細に示すランプ部材の拡大部分垂直断面図である。
【図４】図４は、図１の４−４線に沿ったＨＤＤの拡大部分断面図であって、ランプ部材の構造および機能を概略的に示す図である。
【図５】図５は、本発明の第２実施形態に係るランプ部材の拡大部分垂直断面図である。
【符号の説明】
【００４６】
１１  記録ディスク駆動装置（ハードディスク駆動装置）、１３  記録ディスク（磁気ディスク）、２１  ヘッドアクチュエータ、２８  ロードタブ、２９  ランプ部材、３５  第１誘導路、３６  第２誘導路、３７  窪み、３８  第３誘導路、３９  基準平面、４１  第１傾斜面、４２  第２傾斜面、４３  移動経路、４４  第１誘導路、４５  第２誘導路。
【図１】
2005353109.tif 000003
【図２】
2005353109.tif 000004
【図３】
2005353109.tif 000005
【図４】
2005353109.tif 000006
【図５】
2005353109.tif 000007